(57)【要約】本発明は、第１のレイヤ２テクノロジを有するソース無線アクセス・ネットワーク（１）から同一のまたは異なるレイヤ２テクノロジを有するターゲット無線アクセス・ネットワーク（２）へのユーザ機器（４）とコア・ネットワーク（３）との間の無線パケットベースの接続のハンドオーバ（１４２４）を実行する方法に関する。ユーザ機器（４）内で、２つの無線インタフェース（４１、４２）が提供され、一方のインタフェース（４１）が、ソース無線アクセス・ネットワーク（１）とのソース無線インタフェースとして働き、他方のインタフェース（４２）が、ターゲット無線アクセス・ネットワーク（２）とのターゲット無線インタフェースとして働く。ユーザ機器（４）とソース無線アクセス・ネットワーク（１）との間の無線接続（１４）を解放する前に、ユーザ機器（４）とターゲット無線アクセス・ネットワーク（２）との間の無線接続（２４）が、確立される。２つの無線接続（１４、２４）の並列存在の時間期間中に２つの無線インタフェース（４１、４２）のそれぞれで同一のＩＰアドレスが構成される。ハンドオーバ・プロセス（１４２４）が、Ｐｒｏｘｙ  Ｍｏｂｉｌｅ  ＩＰレイヤ３ハンドオーバ・プロセスを使用することによって実行され、ユーザ機器（４）内で提供されるｍｕｌｔｉ−ｓｔａｎｄａｒｄ  ｍｏｂｉｌｉｔｙ  ｍａｎａｇｅｍｅｎｔエンティティ（４０、１００、２００）ならびにソースおよびターゲット無線ネットワーク（１、２）によって制御される。
2010537528.tif 000002
【特許請求の範囲】
【請求項１】
第１のレイヤ２テクノロジを有するソース無線アクセス・ネットワーク（１）から同一のまたは異なるレイヤ２テクノロジを有するターゲット無線アクセス・ネットワーク（２）へのユーザ機器（４）とコア・ネットワーク（３）との間の無線パケットベースの接続のハンドオーバ（１４２４）を実行する方法であって、
前記ユーザ機器（４）内で２つの無線インタフェース（４１、４２）を提供するステップを含み、前記２つの無線インタフェース（４１、４２）の一方（４１）が、前記ソース無線アクセス・ネットワーク（１）とのソース無線インタフェースとして働き、前記２つの無線インタフェース（４１、４２）の他方（４２）が、前記ターゲット無線アクセス・ネットワーク（２）とのターゲット無線インタフェースとして働き、さらに、
前記ユーザ機器（４）と前記ソース無線アクセス・ネットワーク（１）との間の無線接続（１４）を解放する前に、前記ユーザ機器（４）と前記ターゲット無線アクセス・ネットワーク（２）との間の無線接続（２４）を確立するステップと、
前記ターゲット無線アクセス・ネットワーク（２）および前記ソース無線アクセス・ネットワーク（１）に対して確立された前記２つの無線接続（１４、２４）の並列存在の時間期間中に前記２つの無線インタフェース（４１、４２）のそれぞれで同一のＩＰアドレスを前記ユーザ機器（４）で構成するステップと、
Ｐｒｏｘｙ  Ｍｏｂｉｌｅ  ＩＰレイヤ３ハンドオーバ・プロセスを使用することによって前記ハンドオーバ・プロセス（１４２４）を実行するステップと、
前記ユーザ機器（４）内で提供されるｍｕｌｔｉ−ｓｔａｎｄａｒｄ  ｍｏｂｉｌｉｔｙ  ｍａｎａｇｅｍｅｎｔエンティティ（４０、１００、２００、３００）ならびにソースおよびターゲット無線ネットワーク（１、２）またはコア・ネットワーク（３）によって前記ハンドオーバ・プロセス（１４２４）を制御するステップと、を含むことを特徴とする方法。
【請求項２】
ハンドオーバ・ポリシ機能のハンドオーバ判断（５０１、５０１”）によって前記ハンドオーバ（１４２４）を開始するステップと、
前記ハンドオーバ判断（５０１、５０１”）によってトリガされて、ＵＥ関連マルチスタンダード・データを前記ソース無線アクセス・ネットワーク（１）から前記ターゲット無線アクセス・ネットワーク（２）に転送し、前記ターゲット無線アクセス・ネットワーク（２）でアドミッション・コントロールを行い、前記ターゲット無線アクセス・ネットワーク（２）から前記ソース無線アクセス・ネットワーク（１）に無線パラメータを転送するためにリソース予約およびコンテキスト転送手順（５０２、５０２”）を実行するステップと、をさらに含むことを特徴とする、請求項１に記載の方法。
【請求項３】
前記ユーザ機器（４）と前記ターゲット無線アクセス・ネットワーク（２）との間の前記無線接続（２４）を確立した後に、前記ユーザ機器（４）のアップリンク（１４ｕ、２４ｕ）を前記ソース無線アクセス・ネットワーク（１）から前記ターゲット無線アクセス・ネットワーク（２）に切り替えるステップをさらに含み、これによって、前記アップリンク（１４ｕ、２４ｕ）が、前記ユーザ機器（４）から発しソースＩＰアドレスとして前記ＩＰアドレスを含むＩＰパケット・トラフィックのリンクを表し、さらに、
前記アップリンク（１４ｕ、２４ｕ）の前記切替の後に、前記ソース無線アクセス・ネットワーク（１）と前記ユーザ機器（４）との間のダウンリンク（１４ｄ）を事前定義の時間期間の間に維持するステップをさらに含み、これによって、前記ダウンリンク（１４ｄ）が、前記ユーザ機器（４）宛の、宛先アドレスとして前記ＩＰアドレスを含むＩＰパケット・トラフィックのリンクを表し、さらに、
前記時間期間の経過の後に、前記ユーザ機器（４）と前記ソース無線アクセス・ネットワーク（１）との間の前記無線接続（１４）を解放するステップと、をさらに含むことを特徴とする、請求項１に記載の方法。
【請求項４】
前記ソース無線アクセス・ネットワーク（１）のタイプ、前記ユーザ機器（４）と前記ユーザ機器（４）のホーム・エージェント（５）との間の接続の物理的距離、前記ソース無線アクセス・ネットワーク（１）の負荷、前記ユーザ機器（４）へ／から送信されるパケット・トラフィックのタイプ、具体的にはリアルタイム・トラフィックまたは非リアルタイム・トラフィックという要因のうちの少なくとも１つに依存して前記時間期間を判定するステップをさらに含むことを特徴とする、請求項３に記載の方法。
【請求項５】
前記ユーザ機器（４）と前記ターゲット無線アクセス・ネットワーク（２）との間で前記無線接続（２４）を確立した後に、前記ユーザ機器（４）宛のパケットのダウンリンク・ルート（１４ｄ、２４ｄ）が、前記ソース無線アクセス・ネットワーク（１）から前記ターゲット無線アクセス・ネットワーク（２）に切り替えられることを前記ユーザ機器（４）に示すステップと、
前記ターゲット無線インタフェース（４２）上でダウンリンク・パケットを受信することまたは前記ターゲット無線アクセス・ネットワーク（２）からダウンリンク切替イベント（５１１、５１１”）を受信することによって、前記表示を前記ユーザ機器（４）によって受信するステップと、をさらに含むことを特徴とする、請求項１に記載の方法。
【請求項６】
前記ユーザ機器（４）と前記ターゲット無線アクセス・ネットワーク（２）との間の前記無線接続（２４）を確立した後に、前記ターゲット無線アクセス・ネットワーク（２）または前記コア・ネットワーク（３）から前記ユーザ機器（４）に、アップリンク切替が発生しなければならないことを示すステップと、
この表示によってトリガされて、前記ユーザ機器（４）と前記ソース無線アクセス・ネットワーク（１）との間の前記無線接続（１４）を解放するリンク・デタッチ手順（５１５）を実行するステップと、をさらに含むことを特徴とする、請求項１に記載の方法。
【請求項７】
第１のレイヤ２テクノロジを有するソース無線アクセス・ネットワーク（１）から同一のまたは異なるレイヤ２テクノロジを有するターゲット無線アクセス・ネットワーク（２）へのユーザ機器（４）とコア・ネットワーク（３）との間の無線パケットベースの接続のハンドオーバ（１４２４）に使用されるユーザ機器（４）であって、
ユーザ機器（４）が、ユーザ機器（４）内で２つの無線インタフェース（４１、４２）を提供するように適合され、前記２つの無線インタフェース（４１、４２）の一方（４１）が、前記ソース無線アクセス・ネットワーク（１）とのソース無線インタフェースとして働き、前記２つの無線インタフェース（４１、４２）の他方（４２）が、前記ターゲット無線アクセス・ネットワーク（２）とのターゲット無線インタフェースとして働き、ユーザ機器（４）が、前記ソース無線アクセス・ネットワーク（１）との無線接続（１４）を解放する前に、前記ターゲット無線アクセス・ネットワーク（２）との無線接続（２４）を確立するように適合され、前記ターゲット無線アクセス・ネットワーク（２）および前記ソース無線アクセス・ネットワーク（１）に対して確立された前記２つの無線接続（１４、２４）の並列存在の時間期間中に前記２つの無線インタフェース（４１、４２）のそれぞれで同一のＩＰアドレスをユーザ機器（４）で構成するように適合され、Ｐｒｏｘｙ  Ｍｏｂｉｌｅ  ＩＰレイヤ３ハンドオーバ・プロセスを使用することによって前記ハンドオーバ・プロセス（１４２４）を実行するように適合され、ユーザ機器（４）内で提供されるｍｕｌｔｉ−ｓｔａｎｄａｒｄ  ｍｏｂｉｌｉｔｙ  ｍａｎａｇｅｍｅｎｔエンティティ（４０）によって前記ハンドオーバ・プロセス（１４２４）を制御するように適合される、ことを特徴とするユーザ機器（４）。
【請求項８】
ソース無線アクセス・ネットワーク（１）のネットワーク・ユニット（１０）であって、ネットワーク・ユニット（１０）が、第１のレイヤ２テクノロジを有する前記ソース無線アクセス・ネットワーク（１）から同一のまたは異なるレイヤ２テクノロジを有するターゲット無線アクセス・ネットワーク（２）へのユーザ機器（４）とコア・ネットワーク（３）との間の無線パケットベースの接続のハンドオーバ（１４２４）をサポートし、
ネットワーク・ユニット（１０）が、前記ユーザ機器（４）内で提供される２つの無線インタフェース（４１、４２）のうちの１つ（４１）を介して前記ユーザ機器（４）をインタフェースするように適合され、前記２つの無線インタフェース（４１、４２）の一方（４１）が、前記ソース無線アクセス・ネットワーク（１）とのソース無線インタフェースとして働き、前記２つの無線インタフェース（４１、４２）の他方（４２）が、前記ターゲット無線アクセス・ネットワーク（２）とのターゲット無線インタフェースとして働き、ネットワーク・ユニット（１０）が、前記ユーザ機器（４）との無線接続（１４）の解放の前に前記ユーザ機器（４）と前記ターゲット無線アクセス・ネットワーク（２）との間の無線接続（２４）の確立をトリガし、前記ターゲット無線アクセス・ネットワーク（２）および前記ソース無線アクセス・ネットワーク（１）に対して確立された前記２つの無線接続（１４、２４）の並列存在の時間期間中に前記２つの無線インタフェース（４１、４２）のそれぞれの前記ユーザ機器（４）で構成されるＩＰアドレスを用いて前記ソース無線インタフェース（４１）をアドレッシングし、Ｐｒｏｘｙ  Ｍｏｂｉｌｅ  ＩＰレイヤ３ハンドオーバ・プロセスを使用することによって前記ハンドオーバ・プロセス（１４２４）を実行し、前記ソース無線アクセス・ネットワーク（１）内で提供されるｍｕｌｔｉ−ｓｔａｎｄａｒｄ  ｍｏｂｉｌｉｔｙ  ｍａｎａｇｅｍｅｎｔエンティティ（１００）によって前記ハンドオーバ・プロセス（１４２４）を制御するように適合される、ことを特徴とする、ネットワーク・ユニット（１０）。
【請求項９】
ターゲット無線アクセス・ネットワーク（２）のネットワーク・ユニット（２０）であって、第１レイヤ２テクノロジを有するソース無線アクセス・ネットワーク（１）から同一のまたは異なるレイヤ２テクノロジを有する前記ターゲット無線アクセス・ネットワーク（２）へのユーザ機器（４）とコア・ネットワーク（３）との間の無線パケットベース接続のハンドオーバ（１４２４）をサポートし、
ネットワーク・ユニット（２０）が、前記ユーザ機器（４）内で提供される２つの無線インタフェース（４１、４２）のうちの１つ（４２）を介して前記ユーザ機器（４）にインタフェースするように適合され、前記２つの無線インタフェース（４１、４２）の前記１つ（４２）が、前記ターゲット無線アクセス・ネットワーク（２）とのターゲット無線インタフェースとして働き、前記２つの無線インタフェース（４１、４２）の他方の１つ（４１）が、前記ソース無線アクセス・ネットワーク（１）とのソース無線インタフェースとして働き、ネットワーク・ユニット（２０）が、前記ユーザ機器（４）と前記ソース無線アクセス・ネットワーク（１）との間の無線接続（１４）の解放の前に前記ユーザ機器（４）への無線接続（２４）を確立し、前記ターゲット無線アクセス・ネットワーク（２）および前記ソース無線アクセス・ネットワーク（１）に対して確立された前記２つの無線接続（１４、２４）の並列存在の時間期間中に前記２つの無線インタフェース（４１、４２）のそれぞれで前記ユーザ機器（４）で構成されるＩＰアドレスを用いて前記ターゲット無線インタフェース（４２）をアドレッシングし、Ｐｒｏｘｙ  Ｍｏｂｉｌｅ  ＩＰレイヤ３ハンドオーバ・プロセスを使用することによって前記ハンドオーバ・プロセス（１４２４）を実行し、前記ターゲット無線ネットワーク（２）内で提供されるｍｕｌｔｉ−ｓｔａｎｄａｒｄ  ｍｏｂｉｌｉｔｙ  ｍａｎａｇｅｍｅｎｔエンティティ（２００）によって前記ハンドオーバ・プロセス（１４２４）を制御するように適合される、ことを特徴とするネットワーク・ユニット（２０）。
【請求項１０】
コア・ネットワーク（３）のネットワーク・ユニット（３０）であって、ネットワーク・ユニット（３０）が、第１レイヤ２テクノロジを有するソース無線アクセス・ネットワーク（１）から同一のまたは異なるレイヤ２テクノロジを有するターゲット無線アクセス・ネットワーク（２）へのユーザ機器（４）と前記コア・ネットワーク（３）との間の無線パケットベース接続のハンドオーバ（１４２４）をサポートし、
ネットワーク・ユニット（３０）が、
前記ユーザ機器（４）内で提供される２つの無線インタフェース（４１、４２）を介して前記ユーザ機器（４）とインタフェースし、前記２つの無線インタフェース（４１、４２）のうちの１つ（４２）が、前記ターゲット無線アクセス・ネットワーク（２）とのターゲット無線インタフェースとして働き、前記２つの無線インタフェース（４１、４２）のうちの他方の１つ（４１）が、前記ソース無線アクセス・ネットワーク（１）とのソース無線インタフェースとして働き、
前記ユーザ機器（４）と前記ソース無線アクセス・ネットワーク（１）との間の無線接続（１４）の解放の前に、前記ユーザ機器（４）と前記ターゲット無線アクセス・ネットワーク（２）との間の無線接続（２４）の確立をトリガし、
前記ターゲット無線アクセス・ネットワーク（２）および前記ソース無線アクセス・ネットワーク（１）に対して確立された前記２つの無線接続（１４、２４）の並列存在の時間期間中に前記２つの無線インタフェース（４１、４２）のそれぞれで前記ユーザ機器（４）で構成されるＩＰアドレスを用いて前記ソース無線インタフェース（４１）および前記ターゲット無線インタフェース（４２）をアドレッシングし、
Ｐｒｏｘｙ  Ｍｏｂｉｌｅ  ＩＰレイヤ３ハンドオーバ・プロセスを使用することによって前記ハンドオーバ・プロセス（１４２４）を実行し、
前記コア・ネットワーク（３）内で提供されるｍｕｌｔｉ−ｓｔａｎｄａｒｄ  ｍｏｂｉｌｉｔｙ  ｍａｎａｇｅｍｅｎｔエンティティ（３００）によって前記ハンドオーバ・プロセス（１４２４）を制御する、ように適合されることを特徴とするネットワーク・ユニット（３０）。
【発明の詳細な説明】
【技術分野】
【０００１】
本発明は、第１のレイヤ２テクノロジを有するソース無線アクセス・ネットワークから同一のまたは異なるレイヤ２テクノロジを有するターゲット無線アクセス・ネットワークへのユーザ機器とコア・ネットワークとの間で確立された無線パケットベース接続のハンドオーバを実行する方法であって、ソース無線アクセス・ネットワークおよびターゲット無線アクセス・ネットワークが両方ともコア・ネットワークに接続される、方法に関する。本発明は、前記方法の実行のための、対応するユーザ機器、ソース無線アクセス・ネットワークのネットワーク・ユニット、ターゲット無線アクセス・ネットワークのネットワーク・ユニット、およびコア・ネットワークのネットワーク・ユニットにも関する。
【背景技術】
【０００２】
将来には、異なる無線アクセス・ネットワーク（＝ＲＡＮ）が、異種モバイル・ネットワークに組み合わされる。そのような異種ネットワークは、ユーザとネットワークのオペレータの両方に関して利益を有する。ユーザは、必ず、彼の無線接続を最も適切なアクセス・システムにステアリングすることによって、最もよく接続され得る。オペレータは、ネットワーク性能およびネットワーク利用度を最適化するために、ロードシェアリングを行うことができる。
【０００３】
各ＲＡＮは、それに固有のレイヤ２（＝Ｌ２）モビリティ機能を有するので、これらのネットワークの間での端末モビリティをＬ２で達成することはできない（Ｌ２は、ＯＳＩモデルによればデータ・リンク・レイヤであり、ＯＳＩ＝Ｏｐｅｎ  Ｓｙｓｔｅｍｓ  Ｉｎｔｅｒｃｏｎｎｅｃｔｉｏｎ  Ｂａｓｉｃ  Ｒｅｆｅｒｅｎｃｅ  Ｍｏｄｅｌ（開放型システム相互接続基本参照モデル）である）。さらに、各ＲＡＮは、少なくともそれ自体のＩＰサブネットである（ＩＰ＝インターネット・プロトコル）。これは、ＲＡＮの変化が、ＩＰアドレスの変化を意味し、レイヤ３（＝Ｌ３）またはその上位のモビリティ機構を必要とすることを意味する（Ｌ３は、ＯＳＩモデルによればネットワーク・レイヤである）。
【０００４】
Ｍｏｂｉｌｅ  ＩＰは、パーマネントＩＰアドレスを維持しながらモバイル・デバイスがネットワークの間でローミングすることを可能にする、Ｉｎｔｅｒｎｅｔ  Ｅｎｇｉｎｅｅｒｉｎｇ  Ｔａｓｋ  Ｆｏｒｃｅ（＝ＩＥＴＦ）標準通信Ｌ３モビリティ・プロトコルである。Ｍｏｂｉｌｅ  ＩＰｖ４（Ｃ．Ｐｅｒｋｉｎｓ、ＩＰ  Ｍｏｂｉｌｉｔｙ  Ｓｕｐｐｏｒｔ  ｆｏｒ  ＩＰｖ４．  ＲＦＣ  ３３４４、ＩＥＴＦ、２００２年８月、Ｓｔａｎｄａｒｄｓ  Ｔｒａｃｋを参照されたい）およびＭｏｂｉｌｅ  ＩＰｖ６（Ｄ．Ｊｏｈｎｓｏｎ、Ｃ．Ｐｅｒｋｉｎｓ、およびＪ．Ａｒｋｋｏ、Ｍｏｂｉｌｉｔｙ  Ｓｕｐｐｏｒｔ  ｉｎ  ＩＰｖ６．  ＲＦＣ  ３７７５、ＩＥＴＦ、２００４年６月、Ｓｔａｎｄａｒｄｓ  Ｔｒａｃｋを参照されたい）は、２つのＩＰアドレスすなわち、絶対に変化しないパーマネント識別子としてのプライマリ・アドレス（＝ホーム・アドレス）および可変ロケータとしてのすなわち訪問されたネットワークに関連するセカンダリＩＰアドレス（＝ケアオブ・アドレス、ＣＯＡ）を使用することによって、異なるＬ３サブネットの間でのモビリティをサポートする。
【０００５】
Ｍｏｂｉｌｅ  ＩＰによれば、モバイル・デバイスまたはフォーリン・エージェント（Ｍｏｂｉｌｅ  ＩＰｖ４のみ）は、モバイル・デバイスの位置をホーム・エージェントとして知られるルーティング・アンカ（ｒｏｕｔｉｎｇ  ａｎｃｈｏｒ）にシグナリングする機能を有する。ホーム・エージェントは、そのパーマネント・アドレスがホーム・エージェントのネットワーク内にあるモバイル・デバイスに関する情報を格納する。フォーリン・エージェントは、そのネットワークを訪問するモバイル・デバイスに関する情報を格納する。これらのＭｏｂｉｌｅ  ＩＰプロトコルのうちの１つおよびメイク・ビフォア・ブレーク（Ｍａｋｅ−Ｂｅｆｏｒｅ−Ｂｒｅａｋ）（＝ＭＢＢ）ハンドオーバ・シーケンスを使用することによって、シームレスなロスレス・ハンドオーバが可能である。ホーム・エージェントがＭｏｂｉｌｅ  ＩＰプロトコルおよびＭＢＢハンドオーバ・シーケンスを使用してロスレス・ハンドオーバを可能にするための要件は、新しいロケータの登録後の特定の時間の間に古いロケータからのアップリンク・パケットを受け入れることである。メイク・ビフォア・ブレーク原理は、ターゲット無線リンクが、ソース無線リンクが解放される前に接続されることを意味する。
【０００６】
しかし、これらのプロトコルを使用すると、次の問題のうちの１つまたは複数が生じる場合がある。
（ａ）すべてのユーザ機器（＝ＵＥ）が、少なくともこれらのＬ３モビリティ・プロトコルのうちの１つを備えなければならない。
（ｂ）Ｌ３モビリティ関連シグナリングが、帯域幅制限された無線インタフェースを介して要求される。
（ｃ）両方向トンネル・モードが、帯域幅制限された無線インタフェースを介してトンネル・オーバーヘッドを生成する。
（ｄ）ルート最適化モード（ＩＰｖ６のみ）の場合に、ＵＥのモビリティは、通信パートナから隠蔽されない。
（ｅ）Ｌ２およびＬ３のハンドオーバ実行制御が、ＵＥ内に配置される。
（ｆ）Ｌ３モビリティ・プロトコルが、ＵＥとネットワークとの間のセキュリティ相互作用を必要とする。
（ｇ）Ｌ３モビリティ・プロトコルが、Ｌ２およびＬ３の接続性の分裂を伴うブレーク・ビフォア・メイク（Ｂｒｅａｋ−Ｂｅｆｏｒｅ−Ｍａｋｅ）（＝ＢＢＭ）ハンドオーバ・シーケンスだけを記述する。
【０００７】
Ｍｏｂｉｌｅ  ＩＰクライアント機能性を有しない多数のＩＰデバイスがあり、将来にも存在するので、ある他のエンティティがモビリティ非対応ＩＰデバイスの代わりにモビリティ・サポートを提供することを可能にする解決策が開発された。Ｐｒｏｘｙ  Ｍｏｂｉｌｅ  ＩＰｖ４（Ｋ．Ｌｅｕｎｇ、Ｇ．Ｄｏｍｍｅｔｙ、Ｐ．Ｙｅｇａｎｉ、およびＫ．Ｃｈｏｗｄｈｕｒｙ、ＷｉＭＡＸ  Ｆｏｒｕｍ／３ＧＰＰ２  Ｐｒｏｘｙ  Ｍｏｂｉｌｅ  ＩＰｖ４．  ｈｔｔｐ：／／ｗｗｗ．ｉｅｔｆ．ｏｒｇ／ｉｎｔｅｒｎｅｔ−ｄｒａｆｔｓ／ｄｒａｆｔ−ｌｅｕｎｇ−ｍｉｐ４−ｐｒｏｘｙ−ｍｏｄｅ−０３、２００７年７月を参照されたい）およびＰｒｏｘｙ  Ｍｏｂｉｌｅ  ＩＰｖ６（Ｓ．Ｇｕｎｄａｖｅｌｌｉ、Ｋ．Ｌｅｕｎｇ、Ｖ．Ｄｅｖａｒａｐａｌｌｉ、Ｋ．Ｃｈｏｗｄｈｕｒｙ、およびＢ．Ｐａｔｉｌ、Ｐｒｏｘｙ  Ｍｏｂｉｌｅ  ＩＰｖ６．  ｈｔｔｐ：／／ｗｗｗ．ｉｅｔｆ．ｏｒｇ／ｉｎｔｅｍｅｔ−ｄｒａｆｔｓ／ｄｒａｆｔ−ｉｅｔｆ−ｎｅｔｌｍｍ−ｐｒｏｘｙｍｉｐ６−０１．ｔｘｔ、２００７年６月を参照されたい）は、標準Ｍｏｂｉｌｅ  ＩＰの不利益を回避するためのＬ３モビリティ・プロトコルとして提案された。具体的に言うと、Ｐｒｏｘｙ  Ｍｏｂｉｌｅ  ＩＰは、ＵＥ内で１つの無線インタフェースを使用する水平Ｌ３ハンドオーバに関して、上で述べた不利益（ａ）〜（ｇ）のほとんどを回避する。Ｐｒｏｘｙ  Ｍｏｂｉｌｅ  ＩＰ方式は、Ｍｏｂｉｌｅ  ＩＰシグナリングを拡張し、ネットワーク内のモビリティ・アクセス・ゲートウェイを介してホーム・エージェントを再利用する。ネットワーク内のモビリティ・アクセス・ゲートウェイは、シグナリングを実行し、モバイル・ノードの代わりにモビリティ管理を行う。ホーム・エージェントは、Ｐｒｏｘｙ  Ｍｏｂｉｌｅ  ＩＰ対応になるためにローカル・モビリティ・アンカ機能を伴って拡張される必要がある。
【０００８】
しかし、Ｐｒｏｘｙ  Ｍｏｂｉｌｅ  ＩＰが、垂直ハンドオーバ・プロセスでまたはＵＥ内の２つの無線インタフェースを使用するプロセスで一般にどのように働くかの説明は、これまでに与えられなかった。「水平」ハンドオーバは、同一タイプのすなわち同一テクノロジに基づくアクセス・ネットワーク（たとえば、無線アクセス・ポイント、セルなど）の間のハンドオーバを指す。「垂直」ハンドオーバは、あるテクノロジのアクセス・ネットワークから異なるテクノロジのアクセス・ネットワークへの変更を指す。
【先行技術文献】
【非特許文献】
【０００９】
【非特許文献１】Ｃ．Ｐｅｒｋｉｎｓ、ＩＰ  Ｍｏｂｉｌｉｔｙ  Ｓｕｐｐｏｒｔ  ｆｏｒ  ＩＰｖ４．  ＲＦＣ  ３３４４、ＩＥＴＦ、２００２年８月、Ｓｔａｎｄａｒｄｓ  Ｔｒａｃｋ
【非特許文献２】Ｄ．Ｊｏｈｎｓｏｎ、Ｃ．Ｐｅｒｋｉｎｓ、およびＪ．Ａｒｋｋｏ、Ｍｏｂｉｌｉｔｙ  Ｓｕｐｐｏｒｔ  ｉｎ  ＩＰｖ６．  ＲＦＣ  ３７７５、ＩＥＴＦ、２００４年６月、Ｓｔａｎｄａｒｄｓ  Ｔｒａｃｋ
【非特許文献３】Ｋ．Ｌｅｕｎｇ、Ｇ．Ｄｏｍｍｅｔｙ、Ｐ．Ｙｅｇａｎｉ、およびＫ．Ｃｈｏｗｄｈｕｒｙ、ＷｉＭＡＸ  Ｆｏｒｕｍ／３ＧＰＰ２  Ｐｒｏｘｙ  Ｍｏｂｉｌｅ  ＩＰｖ４．  ｈｔｔｐ：／／ｗｗｗ．ｉｅｔｆ．ｏｒｇ／ｉｎｔｅｒｎｅｔ−ｄｒａｆｔｓ／ｄｒａｆｔ−ｌｅｕｎｇ−ｍｉｐ４−ｐｒｏｘｙ−ｍｏｄｅ−０３、２００７年７月
【非特許文献４】Ｓ．Ｇｕｎｄａｖｅｌｌｉ、Ｋ．Ｌｅｕｎｇ、Ｖ．Ｄｅｖａｒａｐａｌｌｉ、Ｋ．Ｃｈｏｗｄｈｕｒｙ、およびＢ．Ｐａｔｉｌ、Ｐｒｏｘｙ  Ｍｏｂｉｌｅ  ＩＰｖ６．  ｈｔｔｐ：／／ｗｗｗ．ｉｅｔｆ．ｏｒｇ／ｉｎｔｅｍｅｔ−ｄｒａｆｔｓ／ｄｒａｆｔ−ｉｅｔｆ−ｎｅｔｌｍｍ−ｐｒｏｘｙｍｉｐ６−０１．ｔｘｔ、２００７年６月
【非特許文献５】３ＧＰＰ  Ｔｅｃｈｎｉｃａｌ  ｒｅｐｏｒｔ  ＴＲ  ２３．８８２  Ｖ１．１１．０（２００７−０７）：３ＧＰＰ  Ｓｙｓｔｅｍ  Ａｒｃｈｉｔｅｃｔｕｒｅ  Ｅｖｏｌｕｔｉｏｎ：Ｒｅｐｏｒｔ  ｏｎ  Ｔｅｃｈｎｉｃａｌ  Ｏｐｔｉｏｎｓ  ａｎｄ  Ｃｏｎｃｌｕｓｉｏｎｓ，Ｒｅｌｅａｓｅ  ７
【非特許文献６】Ｄｒａｆｔ  ＩＥＥＥ  Ｓｔａｎｄａｒｄ  ｆｏｒ  Ｌｏｃａｌ  ａｎｄ  Ｍｅｔｒｏｐｏｌｉｔａｎ  Ａｒｅａ  Ｎｅｔｗｏｒｋｓ：  Ｍｅｄｉａ  Ｉｎｄｅｐｅｎｄｅｎｔ  Ｈａｎｄｏｖｅｒ  Ｓｅｒｖｉｃｅｓ．  ＩＥＥＥ  Ｐ８０２．２１／Ｄ０５．０２、２００７年６月
【発明の概要】
【発明が解決しようとする課題】
【００１０】
本発明の目的は、無線パケットベースの接続の改善されたハンドオーバの方法を提供することである。
【課題を解決するための手段】
【００１１】
本発明の目的は、第１のレイヤ２テクノロジを有するソース無線アクセス・ネットワークから同一のまたは異なるレイヤ２テクノロジを有するターゲット無線アクセス・ネットワークへのユーザ機器とコア・ネットワークとの間で確立される無線パケットベースの接続のハンドオーバを実行する方法によって達成され、これによって、この方法は、ユーザ機器内で２つの無線インタフェースを提供するステップであって、２つの無線インタフェースの一方が、ソース無線アクセス・ネットワークとのソース無線インタフェースとして働き、２つの無線インタフェースの他方が、ターゲット無線アクセス・ネットワークとのターゲット無線インタフェースとして働く、ステップと、ユーザ機器とソース無線アクセス・ネットワークとの間の無線接続を解放する前に、ユーザ機器とターゲット無線アクセス・ネットワークとの間の無線接続を確立するステップと、ターゲット無線アクセス・ネットワークとソース無線アクセス・ネットワークとの両方に対して確立された２つの無線接続の並列存在の時間期間中に２つの無線インタフェースのそれぞれで同一のＩＰアドレスをユーザ機器で構成するステップと、Ｐｒｏｘｙ  Ｍｏｂｉｌｅ  ＩＰレイヤ３ハンドオーバ・プロセスを使用することによってハンドオーバ・プロセスを実行するステップと、ユーザ機器内で提供されるｍｕｌｔｉ−ｓｔａｎｄａｒｄ  ｍｏｂｉｌｉｔｙ  ｍａｎａｇｅｍｅｎｔエンティティならびにソースおよびターゲット無線ネットワークまたはコア・ネットワークによってハンドオーバ・プロセスを制御するステップとを含む。さらに、本発明の目的は、第１のレイヤ２テクノロジを有するソース無線アクセス・ネットワークから同一のまたは異なるレイヤ２テクノロジを有するターゲット無線アクセス・ネットワークへのユーザ機器とコア・ネットワークとの間で確立される無線パケットベースの接続のハンドオーバに使用されるユーザ機器によって達成され、これによって、ユーザ機器が、ユーザ機器内で２つの無線インタフェースを提供するように適合され、２つの無線インタフェースの一方が、ソース無線アクセス・ネットワークとのソース無線インタフェースとして働き、２つの無線インタフェースの他方が、ターゲット無線アクセス・ネットワークとのターゲット無線インタフェースとして働き、ユーザ機器が、ソース無線アクセス・ネットワークとの無線接続を解放する前に、ターゲット無線アクセス・ネットワークとの無線接続を確立するように適合され、ターゲット無線アクセス・ネットワークとソース無線アクセス・ネットワークとの両方に対して確立された２つの無線接続の並列存在の時間期間中に２つの無線インタフェースのそれぞれで同一のＩＰアドレスをユーザ機器で構成するように適合され、Ｐｒｏｘｙ  Ｍｏｂｉｌｅ  ＩＰレイヤ３ハンドオーバ・プロセスを使用することによってハンドオーバ・プロセスを実行するように適合され、ユーザ機器内で提供されるｍｕｌｔｉ−ｓｔａｎｄａｒｄ  ｍｏｂｉｌｉｔｙ  ｍａｎａｇｅｍｅｎｔエンティティによってハンドオーバ・プロセスを制御するように適合される。さらに、本発明の目的は、ソース無線アクセス・ネットワークのネットワーク・ユニットであって、ネットワーク��ユニットが、第１のレイヤ２テクノロジを有するソース無線アクセス・ネットワークから同一のまたは異なるレイヤ２テクノロジを有するターゲット無線アクセス・ネットワークへのユーザ機器とコア・ネットワークとの間で確立される無線パケットベースの接続のハンドオーバをサポートする、ネットワーク・ユニットによって達成され、これによって、ネットワーク・ユニットが、ユーザ機器内で提供される２つの無線インタフェースのうちの１つを介してユーザ機器をインタフェースするように適合され、２つの無線インタフェースの一方が、ソース無線アクセス・ネットワークとのソース無線インタフェースとして働き、２つの無線インタフェースの他方が、ターゲット無線アクセス・ネットワークとのターゲット無線インタフェースとして働き、ネットワーク・ユニットが、ユーザ機器とターゲット無線アクセス・ネットワークとの間の無線接続の確立の後にユーザ機器との無線接続を解放し、ターゲット無線アクセス・ネットワークとソース無線アクセス・ネットワークとの両方に対して確立された２つの無線接続の並列存在の時間期間中に２つの無線インタフェースのそれぞれのユーザ機器で構成されるＩＰアドレスを用いてソース無線インタフェースをアドレッシングし、Ｐｒｏｘｙ  Ｍｏｂｉｌｅ  ＩＰレイヤ３ハンドオーバ・プロセスを使用することによってハンドオーバ・プロセスを実行し、ソース無線アクセス・ネットワーク内で提供されるｍｕｌｔｉ−ｓｔａｎｄａｒｄ  ｍｏｂｉｌｉｔｙ  ｍａｎａｇｅｍｅｎｔエンティティによってハンドオーバ・プロセスを制御するように適合される。また、本発明の目的は、ターゲット無線アクセス・ネットワークのネットワーク・ユニットであって、第１レイヤ２テクノロジを有するソース無線アクセス・ネットワークから同一のまたは異なるレイヤ２テクノロジを有するターゲット無線アクセス・ネットワークへのユーザ機器とコア・ネットワークとの間で確立される無線パケットベース接続のハンドオーバをサポートするネットワーク・ユニットによって達成され、これによって、ネットワーク・ユニットが、ユーザ機器内で提供される２つの無線インタフェースのうちの１つを介してユーザ機器にインタフェースするように適合され、２つの無線インタフェースの１つが、ソース無線アクセス・ネットワークとのソース無線インタフェースとして働き、２つの無線インタフェースの他方の１つが、ターゲット無線アクセス・ネットワークとのターゲット無線インタフェースとして働き、ネットワーク・ユニットが、ユーザ機器とソース無線アクセス・ネットワークとの間の無線接続の解放の前にユーザ機器への無線接続を確立し、ターゲット無線アクセス・ネットワークとソース無線アクセス・ネットワークとの両方に対して確立された２つの無線接続の並列存在の時間期間中に２つの無線インタフェースのそれぞれでユーザ機器で構成されるＩＰアドレスを用いてターゲット無線インタフェースをアドレッシングし、Ｐｒｏｘｙ  Ｍｏｂｉｌｅ  ＩＰレイヤ３ハンドオーバ・プロセスを使用することによってハンドオーバ・プロセスを実行し、ターゲット無線ネットワーク内で提供されるｍｕｌｔｉ−ｓｔａｎｄａｒｄ  ｍｏｂｉｌｉｔｙ  ｍａｎａｇｅｍ���ｎｔエンティティによってハンドオーバ・プロセスを制御するように適合される。さらに、本発明の目的は、コア・ネットワークのネットワーク・ユニットであって、ネットワーク・ユニットが、第１レイヤ２テクノロジを有するソース無線アクセス・ネットワークから同一のまたは異なるレイヤ２テクノロジを有するターゲット無線アクセス・ネットワークへのユーザ機器とコア・ネットワークとの間で確立される無線パケットベース接続のハンドオーバをサポートする、ネットワーク・ユニットによって達成され、これによって、ネットワーク・ユニットが、ユーザ機器内で提供される２つの無線インタフェースを介してユーザ機器とインタフェースし、２つの無線インタフェースのうちの１つが、ターゲット無線アクセス・ネットワークとのターゲット無線インタフェースとして働き、２つの無線インタフェースのうちの他方の１つが、ソース無線アクセス・ネットワークとのソース無線インタフェースとして働き、ネットワーク・ユニットが、ユーザ機器とソース無線アクセス・ネットワークとの間の無線接続の解放の前に、ユーザ機器とターゲット無線アクセス・ネットワークとの間の無線接続の確立をトリガし、ターゲット無線アクセス・ネットワークおよびソース無線アクセス・ネットワークに対して確立された２つの無線接続の並列存在の時間期間中に２つの無線インタフェースのそれぞれでユーザ機器で構成されるＩＰアドレスを用いてソース無線インタフェースおよびターゲット無線インタフェースをアドレッシングし、Ｐｒｏｘｙ  Ｍｏｂｉｌｅ  ＩＰレイヤ３ハンドオーバ・プロセスを使用することによってハンドオーバ・プロセスを実行し、コア・ネットワーク内で提供されるｍｕｌｔｉ−ｓｔａｎｄａｒｄ  ｍｏｂｉｌｉｔｙ  ｍａｎａｇｅｍｅｎｔエンティティによってハンドオーバ・プロセスを制御するように適合される。
【００１２】
ターゲット無線アクセス・ネットワークおよびソース無線アクセス・ネットワークは、コア・ネットワークを介してオペレータのＩＰサービスまたはインターネットへのアクセスを提供する無線アクセス・ネットワークとすることができる。無線アクセス・ネットワークのそれぞれは、隣接ネットワーク・エリアと部分的にオーバーラップする異なる地理的エリアをカバーし、異なるネットワーク・オペレータによって運営され得る。ターゲット無線アクセス・ネットワークおよびソース無線アクセス・ネットワークは、同一のまたは異なるテクノロジ、たとえば、ＵＭＴＳ＝Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＨＳＤＰＡ＝Ｈｉｇｈ  Ｓｐｅｅｄ  Ｄｏｗｎｌｉｎｋ  Ｄａｔａ  Ａｃｃｅｓｓ、ＷＣＤＭＡ＝Ｗｉｄｅ−ｂａｎｄ  Ｃｏｄｅ  Ｄｉｖｉｓｉｏｎ  Ｍｕｌｔｉｐｌｅ  Ａｃｃｅｓｓ、ＷｉＭＡＸ＝Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＬＴＥ＝Ｌｏｎｇ  Ｔｅｒｍ  Ｅｖｏｌｕｔｉｏｎに基づくものとすることができる。
【００１３】
一方はソース無線インタフェース、もう一方はターゲット無線インタフェースとしてのＵＥの２つの無線インタフェースが、ＰＭＩＰハンドオーバ・プロセス（ＰＭＩＰ＝Ｐｒｏｘｙ  Ｍｏｂｉｌｅ  ＩＰ）で用いられる。この方法は、メイク・ビフォア・ブレーク原理を適用し、ここで、ＵＥとターゲット無線アクセス・ネットワークとの間の無線接続は、ＵＥとソース無線アクセス・ネットワークとの間の無線接続が解放される前に確立される。したがって、短い持続時間の間に、同一ＩＰアドレスが、ＵＥ内で動作する２つの無線インタフェースで使用される。ハンドオーバ・プロセスは、ＵＥおよびネットワーク内のＭｘＭＭエンティティによって制御される（ＭｘＭＭ＝Ｍｕｌｔｉ−ｓｔａｎｄａｒｄ  Ｍｏｂｉｌｉｔｙ  Ｍａｎａｇｅｍｅｎｔ）。
【００１４】
本発明は、１つの無線アクセス・テクノロジ内の水平Ｌ３ハンドオーバについて標準化されているＰｒｏｘｙ  Ｍｏｂｉｌｅ  ＩＰの応用範囲を、異種モバイル・ネットワーク内の垂直Ｌ３ハンドオーバに広げる。
【００１５】
さらに、提案される方法は、ＭＢＢハンドオーバ・シーケンスを使用するＵＥに加わる２つの無線インタフェースと共に使用される機能強化されたＰｒｏｘｙ  Ｍｏｂｉｌｅ  ＩＰを説明する。
【００１６】
この方法を使用すると、標準Ｍｏｂｉｌｅ  ＩＰおよびＰｒｏｘｙ  Ｍｏｂｉｌｅ  ＩＰの現在の標準化状態の不利益を回避しながら、同種および異種のモバイル・ネットワークでのロスレスでシームレスなハンドオーバ・プロセスを実行することが可能である。
【００１７】
本発明は、将来の異種モバイル・ネットワークでのモビリティがＩＰ機構に基づく可能性が最も高いことの推定に応答するものである（３ＧＰＰ  Ｔｅｃｈｎｉｃａｌ  ｒｅｐｏｒｔ  ＴＲ  ２３．８８２  Ｖ１．１１．０（２００７−０７）：３ＧＰＰ  Ｓｙｓｔｅｍ  Ａｒｃｈｉｔｅｃｔｕｒｅ  Ｅｖｏｌｕｔｉｏｎ：Ｒｅｐｏｒｔ  ｏｎ  Ｔｅｃｈｎｉｃａｌ  Ｏｐｔｉｏｎｓ  ａｎｄ  Ｃｏｎｃｌｕｓｉｏｎｓ，Ｒｅｌｅａｓｅ  ７を参照されたい）。本発明は、ネットワーク・オペレータが標準ｍｏｂｉｌｅ  ＩＰ機構よりもｐｒｏｘｙ  ｍｏｂｉｌｅ  ＩＰ機構を好む可能性が最も高いことの推定にも応答するものである。
【００１８】
提案される発明を使用することによって、ＰＭＩＰのすべての利益を、垂直Ｌ３ハンドオーバに使用することができる。また、提案される発明を、ＵＥ内の２つの無線インタフェースを使用する１つの無線アクセス・テクノロジ内での水平Ｌ３ハンドオーバに使用することもできる。
【００１９】
さらなる利益は、従属請求項によって示される本発明の実施形態によって達成される。
【００２０】
本発明の好ましい実施形態によれば、ＵＥ内ならびにソース無線ネットワークおよびターゲット無線ネットワークのネットワーク・ユニット内またはコア・ネットワーク内で提供されるＭｘＭＭエンティティは、ハンドオーバ・プロセスの処理全体の責任を負う。具体的に言うと、ＵＥは、ＵＥ内で２つの無線インタフェースを動作させ、ソース無線アクセス・ネットワークとの無線接続の解放を開始する前にターゲット無線アクセス・ネットワークとの無線接続の確立を開始し、２つの無線接続の並列存在の時間期間中に２つの無線インタフェースのそれぞれで同一のＩＰアドレスを構成し、Ｐｒｏｘｙ  Ｍｏｂｉｌｅ  ＩＰレイヤ３ハンドオーバ・プロセスを使用することによってハンドオーバ・プロセスを実行し、ハンドオーバ・プロセスを制御するように適合されたＭｘＭＭエンティティを含む。
【００２１】
同様に、ソース無線アクセス・ネットワークのネットワーク・ユニットは、ＵＥへのインタフェースを動作させ、ＵＥとターゲット無線アクセス・ネットワークとの間の無線接続の確立を開始した後にＵＥとの無線接続の解放を開始し、２つの無線接続の並列存在の時間期間中に２つの無線インタフェースのそれぞれでＵＥで構成されるＩＰアドレスを用いてＵＥのソース無線インタフェースをアドレッシングし、Ｐｒｏｘｙ  Ｍｏｂｉｌｅ  ＩＰレイヤ３ハンドオーバ・プロセスを使用することによってハンドオーバ・プロセスを実行し、ハンドオーバ・プロセスを制御するように適合されたＭｘＭＭエンティティを含む。
【００２２】
好ましくは、ターゲット無線アクセス・ネットワークのネットワーク・ユニットは、ソース無線アクセス・ネットワークのネットワーク・ユニットに類似して動作するように適合された、すなわち、ＵＥへのインタフェースを動作させ、ＵＥの間の無線接続の解放を開始する前にＵＥへの無線接続の確立を開始し、２つの無線接続の並列存在の時間期間中に２つの無線インタフェースのそれぞれでＵＥで構成されるＩＰアドレスを用いてターゲット無線インタフェースをアドレッシングし、Ｐｒｏｘｙ  Ｍｏｂｉｌｅ  ＩＰレイヤ３ハンドオーバ・プロセスを使用することによってハンドオーバ・プロセスを実行し、ハンドオーバ・プロセスを制御するように適合されたＭｘＭＭエンティティを含む。
【００２３】
好ましくは、コア・ネットワークのネットワーク・ユニットは、ソース無線アクセス・ネットワークのネットワーク・ユニットおよびターゲット無線アクセス・ネットワークのネットワーク・ユニットに類似して動作するように適合された、すなわち、ユーザ機器内で提供される２つの無線インタフェースを介してユーザ機器とインタフェースし、ユーザ機器とソース無線アクセス・ネットワークとの間の無線接続の解放の前にユーザ機器とターゲット無線アクセス・ネットワークとの間の無線接続の確立をトリガし、ターゲット無線アクセス・ネットワークおよびソース無線アクセス・ネットワークに対して確立される２つの無線接続の並列存在の時間期間中に２つの無線インタフェースのそれぞれでユーザ機器で構成されるＩＰアドレスを用いてソース無線インタフェースおよびターゲット無線インタフェースをアドレッシングし、Ｐｒｏｘｙ  Ｍｏｂｉｌｅ  ＩＰレイヤ３ハンドオーバ・プロセスを使用することによってハンドオーバ・プロセスを実行し、ハンドオーバ・プロセスを制御するように適合されたＭｘＭＭエンティティを含む。
【００２４】
本発明の好ましい実施形態によれば、ハンドオーバは、ハンドオーバ・ポリシ機能のハンドオーバ判断によってトリガされる。ハンドオーバ・ポリシ機能は、ネットワーク内で、たとえば、ソース無線アクセス・ネットワーク内でまたはターゲット無線アクセス・ネットワークとソース無線アクセス・ネットワークとの両方に接続されたコア・ネットワーク内で、実施することができる。ハンドオーバ・ポリシ機能を、ＵＥ内で実施することもでき、この機能は、ＵＥのユーザによって手動でトリガされ、または、減少する信号強度に応答して自動的にトリガされる。ハンドオーバ判断によってトリガされて、リソース予約およびコンテキスト転送手順が、ターゲット無線アクセス・ネットワーク内のリソースを要求するため、ソース無線アクセス・ネットワークからターゲット無線アクセス・ネットワークへＭｘＭＭ関連データを転送するため、および、ターゲット無線アクセス・ネットワークからソース無線アクセス・ネットワークへターゲット無線データを転送するために、実行される。転送されたＭｘＭＭ関連データは、ＵＥ能力情報、ＵＥ識別子、ならびに認証、許可、およびポリシに関する情報を含むことができる。転送されるターゲット無線データは、無線周波数および特定のテクノロジに依存して使用されるコードに関するコード情報を含むことができる。
【００２５】
本発明のもう１つの好ましい実施形態によれば、ＵＥのアップリンクは、ＵＥとターゲット無線アクセス・ネットワークとの間の無線接続の確立の後に、ソース無線アクセス・ネットワークからターゲット無線アクセス・ネットワークに切り替えられる。アップリンクは、ユーザ機器から発し、ＩＰパケット・トラフィックのパケット内で指定されるソースＩＰアドレスとしてＩＰアドレスを含むＩＰパケット・トラフィックのリンクを表す。アップリンクの切替の後に、ソース無線アクセス・ネットワークとユーザ機器との間のダウンリンクは、所定の時間期間の間に維持され、これによって、ダウンリンクは、ユーザ機器宛の、宛先アドレスとしてＩＰアドレスを含むＩＰパケット・トラフィックのリンクを表す。ダウンリンクは、まだソース無線アクセス・ネットワークを介してＵＥへの途上のパケットがＵＥに到着することを可能にするために、オープンされたままに保たれる。ダウンリンクが、あまりにも早くクローズされ、ソース無線アクセス・ネットワークとターゲット無線アクセス・ネットワークとの間の転送機構が使用されない場合には、いくつかのＩＰパケットが、ＵＥに絶対に到着せず、したがって、復号およびＵＥのユーザへの提示に使用可能にならないはずである。所定の時間期間が経過した後に、ユーザ機器とソース無線アクセス・ネットワークとの間の無線接続が、解放される。
【００２６】
本発明のもう１つの好ましい実施形態によれば、所定の時間期間は、次の問題のうちの少なくとも１つに関して選択される。ソース無線アクセス・ネットワークのタイプは、そのソース無線アクセス・ネットワークを介してパケットをＵＥにどれほど速くルーティングできるかに関して判定することができる。ＵＥとＵＥのホーム・エージェントとの間の接続の物理的距離が長ければ長いほど、パケットをホーム・エージェントからＵＥまでルーティングするのに要する時間が長くなる。ソース無線アクセス・ネットワークが高トラフィック負荷に対処しなければならない場合に、ＵＥへのパケットの送信が遅延される可能性がある。さらに、あるパケット・タイプをＵＥに送信することまたはこれらをＵＥから受信することが、別のパケット・タイプより時間がかかるか重要である場合がある。たとえば、リアルタイム・トラフィックは、非リアルタイム・トラフィックより高い伝送優先順位を受け取る。
【００２７】
好ましい実施形態では、Ｐｒｏｘｙ  Ｍｏｂｉｌｅ  ＩＰ方式によるバインディング更新が、ユーザ機器とターゲット無線アクセス・ネットワークとの間の無線接続の確立の後に、ターゲット無線アクセス・ネットワークからＵＥのホーム・エージェントに送信される。バインディング更新を、対応するＰＭＩＰ手順とすることができる。ホーム・エージェントがバインディング更新を受信する時に、そのバインディング更新は、ホーム・エージェントがユーザ機器に割り当てられたＩＰアドレス宛のＩＰパケットのルーティングの変更を開始するためのトリガとして働く。ルーティング変更に従って、これらのＩＰパケットは、もはや、ソース無線アクセス・ネットワークを介してルーティングされるのではなく、ターゲット無線アクセス・ネットワークを介してルーティングされる。
【００２８】
必要なアップリンク・パケットの消失を避けるために、ホーム・エージェントは、ターゲット無線アクセス・ネットワークから送信されたバインディング更新の処理の後の特定の時間の間、ソース無線アクセス・ネットワークから来るアップリンク・パケットを受け入れる。というのは、ダウンリンク・ルーティングがホーム・エージェントで変化した後に、ＵＥが、さらに、ソース無線アクセス・ネットワークを介してアップリンク・パケットを送信するからである。
【００２９】
本発明のもう１つの好ましい実施形態によれば、ユーザ機器宛のパケットのダウンリンク・ルートがソース無線アクセス・ネットワークからターゲット無線アクセス・ネットワークに切り替えられることの表示が、ＵＥに提供される。この表示は、ユーザ機器とターゲット無線アクセス・ネットワークとの間の無線接続の確立の後に提供される。ＵＥに提供される表示は、ターゲット無線インタフェースでＵＥによって受信されるダウンリンク・パケットによって構成されるものとすることができる。ＵＥは、ＵＥがソース無線インタフェースでのパケットの受信を期待するので、ターゲット無線インタフェースでのパケットの受信を、切替に関連する表示として分類する。この期待されない形のパケット受信によって、ＵＥは、切替をシグナリングされる。代替案では、ＵＥに提供される表示を、ＵＥによって受信されるダウンリンク切替イベントによって構成することができ、これによって、ダウンリンク切替イベントが、ターゲット無線アクセス・ネットワークから発する。
【００３０】
Ｐｒｏｘｙ  Ｍｏｂｉｌｅ  ＩＰｖ６について、自発的ルータ広告（ｕｎｓｏｌｉｃｉｔｅｄ  ｒｏｕｔｅｒ  ａｄｖｅｒｔｉｓｅｍｅｎｔ）をＵＥに送信することができ、これによって、ルータ広告は、ＵＥのソース無線アクセス・ネットワーク内でアクセス・ルータがもはや使用不能であることをＵＥに示す。この自発的ルータ広告は、ＵＥとターゲット無線アクセス・ネットワークとの間の無線接続の確立の後に送信される。ＵＥがこのルータ広告を受信する時に、ルータ広告は、ＵＥがユーザ機器とソース無線アクセス・ネットワークとの間の無線接続を解放するリンク・デタッチ手順を実行するトリガとしても働くことができる。
【００３１】
好ましい実施形態では、ユーザ機器のアップリンクは、ＵＥのインタフェースに優先順位を割り当てることによって、ソース無線アクセス・ネットワークからターゲット無線アクセス・ネットワークに切り替えられる。その後、アップリンク・データは、ユーザ機器の優先順位を与えられたインタフェースすなわち、ターゲット無線インタフェースを介して送信される。ＵＥで動作するユーザ・アプリケーションが、ＩＰｖ６の実施態様によって構成されるＩＰアドレスを使用する場合には、ＩＰレイヤは、インタフェースすなわちソース無線インタフェースおよびターゲット無線インタフェースのうちのどれにアップリンク・データを送らなければならないのかを「知っている」機構を使用する。これは、優先順位分類を介して簡単に行うことができる。データは、より高い優先順位を割り当てられたインタフェースを介して送信される。優先順位分類は、ＵＥのＭｘＭＭエンティティによって管理される。寿命を０にセットすることによって「古い」インタフェース（ソース無線インタフェース）上の今までのデフォルト・ルータを非アクティブ化するＩＰｖ６ルータ広告がある場合には、ＩＰレイヤは、他方のインタフェース（ターゲット無線インタフェース）に自動的に切り替える。
【００３２】
本発明の上記ならびにさらなる特徴および利益は、添付図面と共に解釈される現在好ましい例示的実施形態の次の詳細な説明を読むことによって、よりよく了解されるであろう。
【図面の簡単な説明】
【００３３】
【図１】本発明の実施形態による分散ＭｘＭＭエンティティを用いる無線接続のハンドオーバを示すブロック図である。
【図２】図１に示されたハンドオーバを示すメッセージ・フロー図である。
【図３】本発明のもう１つの実施形態による集中ＭｘＭＭエンティティを用いる無線接続のハンドオーバを示すブロック図である。
【図４】図３に示されたハンドオーバを示すメッセージ・フロー図である。
【発明を実施するための形態】
【００３４】
図１に、ＩＰベースのパケット・トランスポートに使用可能な遠隔通信コア・ネットワーク３を示す。ＵＭＴＳなどのセルラ・モバイル無線通信システムの場合に、コア・ネットワーク３は、グローバル・インターネットを含むのではなく、モバイル無線ネットワークのネットワーク・ノードＳＧＳＮおよびＧＧＳＮを含むことができる（ＳＧＳＮ＝Ｓｅｒｖｉｎｇ  ＧＰＲＳ  Ｓｕｐｐｏｒｔ  Ｎｏｄｅ、ＧＧＳＮ＝Ｇａｔｅｗａｙ  ＧＰＲＳ  Ｓｕｐｐｏｒｔ  Ｎｏｄｅ、ＧＰＲＳ＝Ｇｅｎｅｒａｌ  Ｐａｃｋｅｔ  Ｒａｄｉｏ  Ｓｅｒｖｉｃｅ）。将来の標準規格ＬＴＥ／ＳＡＥの場合には、コア・ネットワークは、本質的に、ＰＤＮゲートウェイを含む（ＳＡＥ＝Ｓｙｓｔｅｍ  Ａｒｃｈｉｔｅｃｔｕｒｅ  Ｅｖｏｌｕｔｉｏｎ、ＰＤＮ＝Ｐａｃｋｅｔ  Ｄａｔａ  Ｎｅｔｗｏｒｋ）。コア・ネットワークは、オペレータのＩＰサービスおよびグローバル・インターネットに「上向きに」接続される。「下向き」には、コア・ネットワークは、ＧＳＭ／ＧＰＲＳまたはＵＭＴＳなどのモバイル無線アクセス・ネットワークに接続される（ＧＳＭ＝Ｇｌｏｂａｌ  Ｓｙｓｔｅｍ  ｆｏｒ  Ｍｏｂｉｌｅ  Ｃｏｍｍｕｎｉｃａｔｉｏｎｓ）。
【００３５】
コア・ネットワーク３は、第１無線アクセス・ネットワーク１および第２無線アクセス・ネットワーク２に接続される。無線アクセス・ネットワーク１、２は、ユーザ機器４に、コア・ネットワーク３を介するオペレータのＩＰサービスまたはインターネットへの無線アクセスを与える。たとえば、無線アクセス・ネットワーク１、２は、ＵＥ  ４とのエア・インタフェース接続１４、２４用のトランシーバである基地局を含む。
【００３６】
ＵＥ  ４は、まず、下でソースＲＡＮ  １と呼ばれる第１無線アクセス・ネットワーク１に、無線接続１４を介して接続される。無線接続１４は、パケットがＵＥ  ４からソースＲＡＮ  １に送信されるアップリンク１４ｕと、パケットがソースＲＡＮ  １からＵＥ  ４に送信されるダウンリンク１４ｄとを含む。アップリンク１４ｕで送信されるパケットは、ソース・アドレスとしてＵＥ  ４のＩＰアドレスを含む。ダウンリンク１４ｄで送信されるパケットは、宛先アドレスとしてＵＥ  ４のＩＰアドレスを含む。
【００３７】
次に、ＵＥ  ４は、ソースＲＡＮ  １からターゲットＲＡＮすなわち第２無線アクセス・ネットワーク２へのハンドオーバ１４２４を実行する。したがって、ＵＥ  ４は、より後の時点に、無線接続２４を介してターゲットＲＡＮ  ２に接続される。無線接続２４は、パケットがＵＥ  ４からターゲットＲＡＮ  ２に送信されるアップリンク２４ｕと、パケットがターゲットＲＡＮ  ２からＵＥ  ４に送信されるダウンリンク２４ｄとを含む。アップリンク２４ｕで送信されるパケットは、ソース・アドレスとしてＵＥ  ４のＩＰアドレスを含む。ダウンリンク２４ｄで送信されるパケットは、宛先アドレスとしてＵＥ  ４のＩＰアドレスを含む。
【００３８】
ソースＲＡＮ  １は、制御ユニット１００を有するネットワーク・ユニット１０に接続されたメモリ１０１を含む。ネットワーク・ユニット１０は、さらに、ＭｘＭＭエンティティを含む。好ましくは、ＭｘＭＭエンティティの機能性が、制御ユニット１００によって提供されることも可能である。ネットワーク・ユニット１０のＭｘＭＭエンティティが制御ユニット１００を表すことも可能である。ターゲットＲＡＮ  ２は、制御ユニット２００を有するネットワーク・ユニット２０に接続されたメモリ２０１を含む。ネットワーク・ユニット２０は、さらに、ＭｘＭＭエンティティを含む。好ましくは、ＭｘＭＭエンティティの機能性が、制御ユニット２００によって提供されることも可能である。ネットワーク・ユニット２０のＭｘＭＭエンティティが、制御ユニット２００を表すことも可能である。
【００３９】
ネットワーク・ユニット１０およびネットワーク・ユニット２０のそれぞれは、１つまたは複数のインターリンクされたコンピュータ、すなわち、ハードウェア・プラットフォーム、ハードウェア・プラットフォームに基づくソフトウェア・プラットフォーム、ならびにソフトウェア・プラットフォームおよびハードウェア・プラットフォームによって形成されるシステム・プラットフォームによって実行される複数のアプリケーション・プログラムからなる。ネットワーク・ユニット１０およびネットワーク・ユニット２０の機能性は、これらのアプリケーション・プログラムの実行によって提供される。アプリケーション・プログラムまたはこれらのアプリケーション・プログラムの選択された部分は、システム・プラットフォーム上で実行される時に、次で説明するハンドオーバ・サービスを提供するコンピュータ・ソフトウェア製品を構成する。さらに、そのようなコンピュータ・ソフトウェア製品は、これらのアプリケーション・プログラムまたはアプリケーション・プログラムの前記選択された部分を格納する、記憶媒体すなわちメモリ１０１および２０１によって構成される。
【００４０】
ＵＥ  ４は、携帯電話機、ＰＤＡ、またはラップトップ機などのモバイル端末である（ＰＤＡ＝Ｐｒｉｖａｔｅ  Ｄｉｇｉｔａｌ  Ａｓｓｉｓｔａｎｔ（携帯情報端末））。ＵＥ  ４は、制御ユニット４０、メモリ４０１、ソース無線インタフェース４１、およびターゲット無線インタフェース４２を含む。ＵＥ  ４が、さらに、ＭｘＭＭエンティティを含むことが可能である。ＭｘＭＭエンティティの機能性が、制御ユニット４０によって提供されることも可能である。しかし、ＭｘＭＭエンティティが、制御ユニット４０を表すことも可能である。ソース無線インタフェース４１を介して、ＵＥ  ４は、ソースＲＡＮ  １にパケットを送信し、ソースＲＡＮ  １からパケットを受信する。ターゲット無線インタフェース４２を介して、ＵＥ  ４は、ターゲットＲＡＮ  ２にパケットを送信し、ターゲットＲＡＮ  ２からパケットを受信する。
【００４１】
機能的観点から、ＵＥ  ４は、１つまたは複数のインターリンクされたコンピュータすなわち、ハードウェア・プラットフォーム、ハードウェア・プラットフォームに基づくソフトウェア・プラットフォーム、ならびにソフトウェア・プラットフォームおよびハードウェア・プラットフォームによって形成されるシステム・プラットフォームによって実行される複数のアプリケーション・プログラムからなる。ＵＥ  ４の機能性は、これらのアプリケーション・プログラムの実行によって提供される。アプリケーション・プログラムまたはこれらのアプリケーション・プログラムの選択された部分は、システム・プラットフォーム上で実行される時に、次で説明するハンドオーバ・サービスを提供するコンピュータ・ソフトウェア製品を構成する。さらに、そのようなコンピュータ・ソフトウェア製品は、これらのアプリケーション・プログラムまたはアプリケーション・プログラムの前記選択された部分を格納する、記憶媒体すなわちメモリ４０１によって構成される。
【００４２】
ＵＥ  ４に供給するホーム・エージェント５は、コア・ネットワーク３に接続される。
【００４３】
図２に、図１に示されたハンドオーバのメッセージ・フロー図を示す。ＵＥ  ４は、Ｌ３レイヤ上の処理エンティティ／インタフェース４１３、Ｌ２レイヤ上のソースＲＡＮ  １へのソース無線インタフェース４１（＝Ｌ２（Ｓ））、およびＬ２レイヤ上のターゲットＲＡＮ  ２へのターゲット無線インタフェース４２（＝Ｌ２（Ｔ））と共にＭｘＭＭ／ＴＥエンティティ４０を含む。ソースＲＡＮ  １のネットワーク・ユニット１０は、Ｌ２レイヤ上の処理エンティティ／インタフェース１１２、Ｌ３レイヤ上の処理エンティティ／インタフェース１１３、およびＭｘＭＭ／ＮＥＴエンティティ１００を含む。ソースＲＡＮ  ２のネットワーク・ユニット２０は、Ｌ２レイヤ上の処理エンティティ／インタフェース２１２、Ｌ３レイヤ上の処理エンティティ／インタフェース２１３、およびＭｘＭＭ／ＮＥＴエンティティ２００を含む。図２は、ＵＥ  ４のホーム・エージェント５をも示す。
【００４４】
ＵＥ  ４が既存無線接続１４をソース無線アクセス・ネットワーク１からターゲット無線アクセス・ネットワーク２にハンドオーバするためのＬ３ハンドオーバ判断は、ハンドオーバ・ポリシ機能によって行われ、このハンドオーバ・ポリシ機能は、ソース無線アクセス・ネットワーク１またはコア・ネットワーク３内で実施することができる。ハンドオーバを実行する判断は、最も適切なアクセス・システムに必ず接続されていることのユーザの望みによってもたらすことができる。ＵＥ  ４のソースＲＡＮ  １への接続が、ＵＥ  ４と共にユーザが高速道路に沿って移動し、ソースＲＡＮ  １のカバレッジ・エリアから出る時に、劣化しつつあることが可能である。この高速道路は、ＵＥ  ４をターゲットＲＡＮ  ２のカバレッジ・エリアに導く。したがって、ターゲットＲＡＮ  ２への接続のハンドオーバを実行することが有利である。
【００４５】
このハンドオーバ判断は、ソースＲＡＮ  １のＭｕｌｔｉ−Ｓｔａｎｄａｒｄ  Ｍｏｂｉｌｉｔｙ  Ｍａｎａｇｅｍｅｎｔエンティティ１００（＝ＭｘＭＭ／ＮＥＴ、ＮＥＴ＝Ｎｅｔｗｏｒｋ）によってメッセージ５０１として受信される。受信されたハンドオーバ判断によってトリガされて、ソースＲＡＮ  １のネットワーク・ユニット１０すなわちＭｘＭＭ／ＮＥＴエンティティ１００は、一方では、ターゲットＲＡＮ  ２すなわちＭｘＭＭ／ＮＥＴエンティティ２００とのリソース予約およびコンテキスト転送手順５０２を実行する。リソース予約は、ターゲット無線アクセス・ネットワークでのアドミッション・コントロールのために必要である。コンテキスト転送は、ノード・ベースのモビリティに関するよりよいサポートを可能にし、その結果、モバイル・ノードで動作するアプリケーションが、最小限の分裂を伴って動作できるようになる。主要な目的は、待ち時間およびパケット消失を減らすことと、モバイル・ノードすなわちＵＥ  ４との間の時間のかかる認証手順および許可手順のシグナリングの再開始を避けることである。
【００４６】
リソース予約およびコンテキスト転送手順では、ソースＲＡＮ  １が、ＵＥ能力情報、ＵＥ識別子、ならびに認証、許可、およびポリシに関する情報などの接続関連データをターゲットＲＡＮ  ２に送信する。逆方向では、ターゲットＲＡＮ  ２が、たとえばあるコードがＵＭＴＳと共に使用されなければならないことの指定など、無線関連情報をソースＲＡＮ  １に送信する。
【００４７】
その一方で、ソースＲＡＮ  １（ＭｘＭＭ／ＮＥＴエンティティ１００）は、ＵＥ  ４内のＭｘＭＭエンティティ４０（＝ＭｘＭＭ／ＴＥ、ＴＥ＝Ｔｅｒｍｉｎａｌ  Ｅｑｕｉｐｍｅｎｔ）にハンドオーバ・コマンド５０３を送信する。これおよび他のコマンドに関して、現在開発中のＩＥＥＥ  ８０２．２１標準規格のＭｅｄｉａ  Ｉｎｄｅｐｅｎｄｅｎｔ  Ｃｏｍｍａｎｄ  Ｓｅｒｖｉｃｅ（＝ＭＩＣＳ）を使用することができる（Ｄｒａｆｔ  ＩＥＥＥ  Ｓｔａｎｄａｒｄ  ｆｏｒ  Ｌｏｃａｌ  ａｎｄ  Ｍｅｔｒｏｐｏｌｉｔａｎ  Ａｒｅａ  Ｎｅｔｗｏｒｋｓ：  Ｍｅｄｉａ  Ｉｎｄｅｐｅｎｄｅｎｔ  Ｈａｎｄｏｖｅｒ  Ｓｅｒｖｉｃｅｓ．  ＩＥＥＥ  Ｐ８０２．２１／Ｄ０５．０２、２００７年６月を参照されたい）。
【００４８】
次に、ＭｘＭＭ／ＴＥエンティティ４０は、ターゲットＲＡＮ  ２のターゲット無線インタフェース４２（＝Ｌ２（Ｔ））およびＬ２インタフェース２１２を含むＬｉｎｋ  Ａｔｔａｃｈ手順５０５をトリガするためにＵＥ  ４のＬ２（Ｔ）４２にＬｉｎｋ  Ａｔｔａｃｈコマンド５０４を送信することによって、ハンドオーバ実行のＵＥ部分を開始する。Ｌｉｎｋ  Ａｔｔａｃｈ手順５０５では、ＵＥ  ４とターゲットＲＡＮ  ２との間のＬ２（Ｔ）インタフェース４２を介する接続２４が、ＵＥ  ４とソースＲＡＮ  １との間のＬ２（Ｓ）インタフェース４１を介する既存の接続１４と同時に確立される。
【００４９】
ＵＥ  ４とターゲットＲＡＮ  ２との間のターゲット無線リンク２４がセット・アップされる時に、Ｌｉｎｋ  Ａｔｔａｃｈイベント５０６が、逆方向でＬ２（Ｔ）４２からＵＥ  ４のＭｘＭＭ／ＴＥエンティティ４０へ送信される。同様に、Ｌｉｎｋ  Ａｔｔａｃｈイベント５０７が、ターゲットＲＡＮ  ２のＬ２インタフェース２１２からターゲットＲＡＮ  ２のＭｘＭＭ／ＮＥＴエンティティ２００に送信される。このイベントおよび他のイベントについて、ＩＥＥＥ  ８０２．２１のＭｅｄｉａ  Ｉｎｄｅｐｅｎｄｅｎｔ  Ｅｖｅｎｔ  Ｓｅｒｖｉｃｅ（＝ＭＩＥＳ）を使用することができる。
【００５０】
ＵＥ  ４の既存の接続が中断されてはならない場合には、Ｌ２（Ｓ）４１で使用されるＩＰアドレスをＬ２（Ｔ）４２でも使用しなければならない。したがって、ＵＥ  ４は、ソース無線インタフェースＬ２（Ｓ）４１上と同一のＩＰアドレスをターゲット無線インタフェースＬ２（Ｔ）４２上で構成する。この構成は、Ｌｉｎｋ  Ａｔｔａｃｈイベント５０６の後で行うことができる。同一のＩＰアドレスを用いて構成された２つのインタフェースＬ２（Ｓ）４１およびＬ２（Ｔ）４２の並列動作は、対応するソフトウェア・ドライバの変更によって実現することができる。同一のＩＰアドレスの構成を、ＵＥ  ４によって受信されるデータの対応する処理に基づいてＵＥ内部で行うことができる。同一のＩＰアドレスを用いる２つのインタフェースの並列動作は、Ｌ３アドレス衝突を引き起こさない。というのは、無線インタフェースＬ２（Ｓ）４１とＬ２（Ｔ）４２との両方が、異なるＬ２リンクおよびＬ３リンク上で操作されるからである。ソースＲＡＮ  １およびターゲットＲＡＮ  ２は、２つの異なるサブネットワークを表す。さらに、同一のＩＰアドレスを用いて構成された２つのインタフェースＬ２（Ｓ）４１およびＬ２（Ｔ）４２の並列動作を、主に冗長性およびスループットを高めるのに使用される、複数のインタフェースを組み合わせるための周知のチャネル・ボンディングまたはリンク集約機構に基づくものとすることができる。
【００５１】
その一方で、ターゲットＲＡＮ  ２（ＭｘＭＭ／ＮＥＴエンティティ２００）は、ターゲットＲＡＮ  ２のＬ３処理エンティティ／インタフェース２１３すなわちゲートウェイ・アクセス・ルータにＭＩＰ（＝Ｍｏｂｉｌｅ  ＩＰ）Ｒｅｇｉｓｔｒａｔｉｏｎコマンド５０８を送信して、Ｋ．Ｌｅｕｎｇ他（上で引用）またはＳ．Ｇｕｎｄａｖｅｌｌｉ他（上で引用）によって標準化されたＰＭＩＰ手順５０９を開始する。Ｌｉｎｋ  Ａｔｔａｃｈイベント５０７およびＭＩＰ  Ｒｅｇｉｓｔｒａｔｉｏｎコマンド５０８の代わりに、Ｌｉｎｋ  Ａｔｔａｃｈイベント５０７＊をＬ３処理エンティティ／インタフェースに直接に送信して、ＰＭＩＰ手順５０９をトリガすることができる。ＰＭＩＰ手順５０９は、ターゲットＲＡＮ  ２のＬ３処理エンティティ／インタフェース２１３とＵＥ  ４に関連するホーム・エージェント５との間で実行される。ＰＭＩＰ手順５０９が終了した後に、ＭＩＰ  Ｒｅｇｉｓｔｒａｔｉｏｎイベント５１０が、Ｌ３処理エンティティ／インタフェース２１３からターゲットＲＡＮ  ２のＭｘＭＭ／ＮＥＴエンティティ２００に送信される。
【００５２】
その後、ＵＥ  ４は、Ｌ３ダウンリンク・ルートがソースＲＡＮ  １からターゲットＲＡＮ  ２に切り替えられることをトリガする必要がある。この指示は、ターゲット無線インタフェースＬ２（Ｔ）４２を介するＵＥ  ４でのダウンリンク・トラフィックの受信とすることができ、この受信は、通常、ＵＥ  ４のソース無線インタフェースＬ２（Ｓ）４１で期待される。第２の解決策は、ターゲットＲＡＮ  ２からＵＥ  ４に送信されるＬ３  Ｄｏｗｎｌｉｎｋ  Ｓｗｉｔｃｈイベント５１１とすることができる。Ｐｒｏｘｙ  Ｍｏｂｉｌｅ  ＩＰｖ６の場合には、第３の解決策として、自発的ルータ広告５１０＊を、ＵＥ  ４のＬ３レイヤの処理エンティティ／インタフェースに直接に送信し、ＭＩＰ  Ｒｅｇｉｓｔｒａｔｉｏｎイベント５１０、Ｌ３  Ｄｏｗｎｌｉｎｋ  Ｓｗｉｔｃｈイベント５１１、およびＩｎｔｅｒｆａｃｅ  Ｐｒｅｆｅｒｅｎｃｅ  Ｃｈａｎｇｅコマンド５１２を置換することができる（上で引用したＧｕｎｄａｖｅｌｌｉ他を参照されたい）。
【００５３】
ダウンリンク切替トリガの受信の後に、レイヤ３の処理エンティティ／インタフェース４１３は、ＭｘＭＭ／ＴＥエンティティ４０からＬ３処理エンティティ／インタフェース４１３に送信されるＩｎｔｅｒｆａｃｅ  Ｐｒｅｆｅｒｅｎｃｅ  Ｃｈａｎｇｅコマンド５１２によってまたはターゲット無線インタフェースでダウンリンク・トラフィックを受信することによってまたは自発的ルータ広告５１０＊を受信することによってのいずれかで、Ｌ３アップリンク・トラフィック用の無線インタフェースを切り替える。Ｌ３処理エンティティ／インタフェース４１３からＭｘＭＭ／ＴＥエンティティ４０に送信される、対応するＩｎｔｅｒｆａｃｅ  Ｐｒｅｆｅｒｅｎｃｅ  Ｃｈａｎｇｅイベント５１３が、逆方向で受信される時に、Ｌｉｎｋ  Ｄｅｔａｃｈコマンド５１４が、ＭｘＭＭ／ＴＥエンティティ４０からＬ２（Ｓ）インタフェース４１に送信される。コマンド５１４によってトリガされて、ソース無線リンク４１（＝Ｌ２（Ｓ））のＬｉｎｋ  Ｄｅｔａｃｈ手順５１５を実行することができ、あるいは、単純にＬ２（Ｓ）が非アクティブ化される。Ｌｉｎｋ  Ｄｅｔａｃｈ手順５１５またはＬ２（Ｓ）の非アクティブ化は、ＵＥ  ４とソースＲＡＮ  １との間の接続をクローズする。
【００５４】
Ｌｉｎｋ  Ｄｅｔａｃｈ手順５１５が終了した後に、Ｌｉｎｋ  Ｄｅｔａｃｈイベント・メッセージ５１６、５１７が、ＵＥ  ４のＬ２（Ｓ）インタフェース４１からＵＥ  ４のＭｘＭＭ／ＴＥエンティティ４０に、およびソースＲＡＮ  １のＬ２インタフェース１１２からソースＲＡＮ  １のＭｘＭＭ／ＮＥＴエンティティ１００に送信される。
【００５５】
図３は、図１に似て、ＩＰベースのパケット・トランスポートに使用可能な遠隔通信コア・ネットワーク３を示す。コア・ネットワーク３は、第１無線アクセス・ネットワーク１および第２無線アクセス・ネットワーク２に接続される。無線アクセス・ネットワーク１、２は、ユーザ機器４に、コア・ネットワーク３を介するオペレータのＩＰサービスまたはインターネットへの無線アクセスを与える。たとえば、無線アクセス・ネットワーク１、２は、ＵＥ  ４とのエア・インタフェース接続１４、２４用のトランシーバである基地局を含む。
【００５６】
ＵＥ  ４は、まず、下でソースＲＡＮ  １と呼ばれる第１無線アクセス・ネットワーク１に、無線接続１４を介して接続される。無線接続１４は、パケットがＵＥ  ４からソースＲＡＮ  １に送信されるアップリンク１４ｕと、パケットがソースＲＡＮ  １からＵＥ  ４に送信されるダウンリンク１４ｄとを含む。アップリンク１４ｕで送信されるパケットは、ソース・アドレスとしてＵＥ  ４のＩＰアドレスを含む。ダウンリンク１４ｄで送信されるパケットは、宛先アドレスとしてＵＥ  ４のＩＰアドレスを含む。
【００５７】
次に、ＵＥ  ４は、ソースＲＡＮ  １からターゲットＲＡＮすなわち第２無線アクセス・ネットワーク２へのハンドオーバ１４２４を実行する。したがって、ＵＥ  ４は、より後の時点に、無線接続２４を介してターゲットＲＡＮ  ２に接続される。無線接続２４は、パケットがＵＥ  ４からターゲットＲＡＮ  ２に送信されるアップリンク２４ｕと、パケットがターゲットＲＡＮ  ２からＵＥ  ４に送信されるダウンリンク２４ｄとを含む。アップリンク２４ｕで送信されるパケットは、ソース・アドレスとしてＵＥ  ４のＩＰアドレスを含む。ダウンリンク２４ｄで送信されるパケットは、宛先アドレスとしてＵＥ  ４のＩＰアドレスを含む。
【００５８】
ソースＲＡＮ  １は、ＲＡＮ制御ユニット１００”を有するネットワーク・ユニット１０”に接続されたメモリ１０１”を含む。ターゲットＲＡＮ  ２は、ＲＡＮ制御ユニット２００”を有するネットワーク・ユニット２０”に接続されたメモリ２０１”を含む。
【００５９】
ネットワーク・ユニット１０”およびネットワーク・ユニット２０”のそれぞれは、１つまたは複数のインターリンクされたコンピュータ、すなわち、ハードウェア・プラットフォーム、ハードウェア・プラットフォームに基づくソフトウェア・プラットフォーム、ならびにソフトウェア・プラットフォームおよびハードウェア・プラットフォームによって形成されるシステム・プラットフォームによって実行される複数のアプリケーション・プログラムからなる。ネットワーク・ユニット１０”およびネットワーク・ユニット２０”の機能性は、これらのアプリケーション・プログラムの実行によって提供される。アプリケーション・プログラムまたはこれらのアプリケーション・プログラムの選択された部分は、システム・プラットフォーム上で実行される時に、次で説明するハンドオーバ・サービスを提供するコンピュータ・ソフトウェア製品を構成する。さらに、そのようなコンピュータ・ソフトウェア製品は、これらのアプリケーション・プログラムまたはアプリケーション・プログラムの前記選択された部分を格納する、記憶媒体すなわちメモリ１０１”および２０１”によって構成される。
【００６０】
ＵＥ  ４は、携帯電話機、ＰＤＡ、またはラップトップ機などのモバイル端末である。ＵＥ  ４は、制御ユニット４０、メモリ４０１、ソース無線インタフェース４１、およびターゲット無線インタフェース４２を含む。ＵＥ  ４が、さらに、ＭｘＭＭエンティティを含むことが可能である。ＭｘＭＭエンティティの機能性が、制御ユニット４０によって提供されることも可能である。しかし、ＭｘＭＭエンティティが、制御ユニット４０を表すことも可能である。ソース無線インタフェース４１を介して、ＵＥ  ４は、ソースＲＡＮ  １にパケットを送信し、ソースＲＡＮ  １からパケットを受信する。ターゲット無線インタフェース４２を介して、ＵＥ  ４は、ターゲットＲＡＮ  ２にパケットを送信し、ターゲットＲＡＮ  ２からパケットを受信する。
【００６１】
機能的観点から、ＵＥ  ４は、１つまたは複数のインターリンクされたコンピュータすなわち、ハードウェア・プラットフォーム、ハードウェア・プラットフォームに基づくソフトウェア・プラットフォーム、ならびにソフトウェア・プラットフォームおよびハードウェア・プラットフォームによって形成されるシステム・プラットフォームによって実行される複数のアプリケーション・プログラムからなる。ＵＥ  ４の機能性は、これらのアプリケーション・プログラムの実行によって提供される。アプリケーション・プログラムまたはこれらのアプリケーション・プログラムの選択された部分は、システム・プラットフォーム上で実行される時に、次で説明するハンドオーバ・サービスを提供するコンピュータ・ソフトウェア製品を構成する。さらに、そのようなコンピュータ・ソフトウェア製品は、これらのアプリケーション・プログラムまたはアプリケーション・プログラムの前記選択された部分を格納する、記憶媒体すなわちメモリ４０１によって構成される。
【００６２】
コア・ネットワーク３は、制御ユニット３００と共にネットワーク・ユニット３０に接続されたメモリ３０１を含む。ネットワーク・ユニット３０は、さらに、ＭｘＭＭエンティティを含む。好ましくは、ＭｘＭＭエンティティの機能性が、制御ユニット３００によって提供されることも可能である。ネットワーク・ユニット３０のＭｘＭＭエンティティが、制御ユニット３００を表すことも可能である。
【００６３】
ネットワーク・ユニット３０は、１つまたは複数のインターリンクされたコンピュータ、すなわち、ハードウェア・プラットフォーム、ハードウェア・プラットフォームに基づくソフトウェア・プラットフォーム、ならびにソフトウェア・プラットフォームおよびハードウェア・プラットフォームによって形成されるシステム・プラットフォームによって実行される複数のアプリケーション・プログラムからなる。ネットワーク・ユニット３０の機能性は、これらのアプリケーション・プログラムの実行によって提供される。アプリケーション・プログラムまたはこれらのアプリケーション・プログラムの選択された部分は、システム・プラットフォーム上で実行される時に、次で説明するハンドオーバ・サービスを提供するコンピュータ・ソフトウェア製品を構成する。さらに、そのようなコンピュータ・ソフトウェア製品は、これらのアプリケーション・プログラムまたはアプリケーション・プログラムの前記選択された部分を格納する、記憶媒体すなわちメモリ３０１によって構成される。
【００６４】
ＵＥ  ４に供給するホーム・エージェント５は、コア・ネットワーク３に接続される。
【００６５】
図４に、図３に示されたハンドオーバのメッセージ・フロー図を示す。ＵＥ  ４は、Ｌ３レイヤ上の処理エンティティ／インタフェース４１３、Ｌ２レイヤ上のソースＲＡＮ  １へのソース無線インタフェース４１（＝Ｌ２（Ｓ））、およびＬ２レイヤ上のターゲットＲＡＮ  ２へのターゲット無線インタフェース４２（＝Ｌ２（Ｔ））と共にＭｘＭＭ／ＴＥエンティティ４０を含む。ソースＲＡＮ  １のネットワーク・ユニット１０は、Ｌ２レイヤ上の処理エンティティ／インタフェース１１２、Ｌ３レイヤ上の処理エンティティ／インタフェース１１３、およびＲＡＮ制御エンティティ１００”を含む。ソースＲＡＮ  ２のネットワーク・ユニット２０は、Ｌ２レイヤ上の処理エンティティ／インタフェース２１２、Ｌ３レイヤ上の処理エンティティ／インタフェース２１３、およびＲＡＮ制御エンティティ２００”を含む。コア・ネットワーク３のネットワーク・ユニット３０は、ＭｘＭＭ／ＮＥＴエンティティ３００を含む。図４は、ＵＥ  ４のホーム・エージェント５をも示す。
【００６６】
ＵＥ  ４がソース無線アクセス・ネットワーク１からターゲット無線アクセス・ネットワーク２への既存無線接続１４をハンドオーバするためのＬ３ハンドオーバ判断は、コア・ネットワーク３のＭｕｌｔｉ−Ｓｔａｎｄａｒｄ  Ｍｏｂｉｌｉｔｙ  Ｍａｎａｇｅｍｅｎｔエンティティ３００によってメッセージ５０１”として受信される。受信されたハンドオーバ判断によってトリガされて、コア・ネットワーク３のネットワーク・ユニット３０すなわち、ＭｘＭＭ／ＮＥＴエンティティ３００は、一方では、リソース予約およびコンテキスト転送手順５０２”を、ターゲットＲＡＮ  ２すなわちＲＡＮ制御エンティティ２００”と共に実行する。
【００６７】
その一方で、コア・ネットワーク３（ＭｘＭＭ／ＮＥＴエンティティ３００）は、ＵＥ  ４のＭｘＭＭエンティティ４０（＝ＭｘＭＭ／ＴＥ）にハンドオーバ・コマンド５０３”を送信する。このコマンドおよび他のコマンドに関して、現在開発されているＩＥＥＥ  ８０２．２１標準規格のＭＩＣＳを使用することができる（Ｄｒａｆｔ  ＩＥＥＥ  Ｓｔａｎｄａｒｄ  ｆｏｒ  Ｌｏｃａｌ  ａｎｄ  Ｍｅｔｒｏｐｏｌｉｔａｎ  Ａｒｅａ  Ｎｅｔｗｏｒｋｓ：Ｍｅｄｉａ  Ｉｎｄｅｐｅｎｄｅｎｔ  Ｈａｎｄｏｖｅｒ  Ｓｅｒｖｉｃｅｓ．  ＩＥＥＥ  Ｐ８０２．２１／Ｄ０５．０２、２００７年６月を参照されたい）。
【００６８】
次に、ＭｘＭＭ／ＴＥエンティティ４０は、ターゲットＲＡＮ  ２のＬ２（Ｔ）４２およびＬ２インタフェース２１２を伴うＬｉｎｋ  Ａｔｔａｃｈ手順５０５をトリガするためにＵＥ  ４のターゲット無線インタフェース４２（＝Ｌ２（Ｔ））にＬｉｎｋ  Ａｔｔａｃｈコマンド５０４を送信することによって、ハンドオーバ実行のＵＥ部分を開始する。Ｌｉｎｋ  Ａｔｔａｃｈ手順５０５では、ＵＥ  ４とターゲットＲＡＮ  ２との間のＬ２（Ｔ）インタフェース４２を介する接続２４が、ＵＥ  ４とソースＲＡＮ  １との間のＬ２（Ｓ）インタフェース４１を介する既存接続１４と同時に、確立される。
【００６９】
ＵＥ  ４とターゲットＲＡＮ  ２との間のターゲット無線リンク２４がセット・アップされる時に、Ｌｉｎｋ  Ａｔｔａｃｈイベント５０６が、逆方向でＬ２（Ｔ）４２からＵＥ  ４のＭｘＭＭ／ＴＥエンティティ４０に送信される。同様に、Ｌｉｎｋ  Ａｔｔａｃｈイベント５０７”が、ターゲットＲＡＮ  ２のＬ２インタフェース２１２からコア・ネットワーク３のＭｘＭＭ／ＮＥＴエンティティ３００に送信される。このイベントおよび他のイベントに関して、ＩＥＥＥ  ８０２．２１のＭＩＥＳを使用することができる。
【００７０】
ＵＥ  ４の既存接続が中断されてはならない場合には、Ｌ２（Ｓ）４１で使用されるＩＰアドレスを、Ｌ２（Ｔ）４２でも使用しなければならない。したがって、ＵＥ  ４は、ソース無線インタフェースＬ２（Ｓ）４１上と同一のＩＰアドレスをターゲット無線インタフェースＬ２（Ｔ）４２上で構成する。この構成は、Ｌｉｎｋ  Ａｔｔａｃｈイベント５０６の後で行うことができる。同一のＩＰアドレスを用いて構成された２つのインタフェースＬ２（Ｓ）４１およびＬ２（Ｔ）４２の並列動作は、対応するソフトウェア・ドライバの変更によって実現することができる。同一のＩＰアドレスの構成を、ＵＥ  ４によって受信されるデータの対応する処理に基づいてＵＥ内部で行うことができる。同一のＩＰアドレスを用いる２つのインタフェースの並列動作は、Ｌ３アドレス衝突を引き起こさない。というのは、無線インタフェースＬ２（Ｓ）４１とＬ２（Ｔ）４２との両方が、異なるＬ２リンクおよびＬ３リンク上で操作されるからである。ソースＲＡＮ  １およびターゲットＲＡＮ  ２は、２つの異なるサブネットワークを表す。さらに、同一のＩＰアドレスを用いて構成された２つのインタフェースＬ２（Ｓ）４１およびＬ２（Ｔ）４２の並列動作を、主に冗長性およびスループットを高めるのに使用される、複数のインタフェースを組み合わせるための周知のチャネル・ボンディングまたはリンク集約機構に基づくものとすることができる。
【００７１】
その一方で、コア・ネットワーク３（ＭｘＭＭ／ＮＥＴエンティティ３００）は、ターゲットＲＡＮ  ２のＬ３処理エンティティ／インタフェース２１３すなわちゲートウェイ・アクセス・ルータにＭＩＰ  Ｒｅｇｉｓｔｒａｔｉｏｎコマンド５０８”を送信して、Ｋ．Ｌｅｕｎｇ他（上で引用）またはＳ．Ｇｕｎｄａｖｅｌｌｉ他（上で引用）によって標準化されたＰＭＩＰ手順５０９を開始する。Ｌｉｎｋ  Ａｔｔａｃｈイベント５０７”およびＭＩＰ  Ｒｅｇｉｓｔｒａｔｉｏｎコマンド５０８”の代わりに、Ｌｉｎｋ  Ａｔｔａｃｈイベント５０７＊をＬ３処理エンティティ／インタフェースに直接に送信して、ＰＭＩＰ手順５０９をトリガすることができる。ＰＭＩＰ手順５０９は、ターゲットＲＡＮ  ２のＬ３処理エンティティ／インタフェース２１３とＵＥ  ４に関連するホーム・エージェント５との間で実行される。ＰＭＩＰ手順５０９が終了した後に、ＭＩＰ  Ｒｅｇｉｓｔｒａｔｉｏｎイベント５１０”が、Ｌ３処理エンティティ／インタフェース２１３からコア・ネットワーク３のＭｘＭＭ／ＮＥＴエンティティ３００に送信される。
【００７２】
その後、ＵＥ  ４は、Ｌ３ダウンリンク・ルートがソースＲＡＮ  １からターゲットＲＡＮ  ２に切り替えられることをトリガする必要がある。この指示は、ターゲット無線インタフェースＬ２（Ｔ）４２を介するＵＥ  ４でのダウンリンク・トラフィックの受信とすることができ、この受信は、通常、ＵＥ  ４のソース無線インタフェースＬ２（Ｓ）４１で期待される。第２の解決策は、コア・ネットワーク３からＵＥ  ４に送信されるＬ３  Ｄｏｗｎｌｉｎｋ  Ｓｗｉｔｃｈイベント５１１”とすることができる。Ｐｒｏｘｙ  Ｍｏｂｉｌｅ  ＩＰｖ６の場合には、第３の解決策として、自発的ルータ広告５１０＊を、ＵＥ  ４のＬ３レイヤの処理エンティティ／インタフェースに直接に送信し、ＭＩＰ  Ｒｅｇｉｓｔｒａｔｉｏｎイベント５１０”、Ｌ３  Ｄｏｗｎｌｉｎｋ  Ｓｗｉｔｃｈイベント５１１”、およびＩｎｔｅｒｆａｃｅ  Ｐｒｅｆｅｒｅｎｃｅ  Ｃｈａｎｇｅコマンド５１２を置換することができる（上で引用したＧｕｎｄａｖｅｌｌｉ他を参照されたい）。
【００７３】
ダウンリンク切替トリガの受信の後に、レイヤ３の処理エンティティ／インタフェース４１３は、ＭｘＭＭ／ＴＥエンティティ４０からＬ３処理エンティティ／インタフェース４１３に送信されるＩｎｔｅｒｆａｃｅ  Ｐｒｅｆｅｒｅｎｃｅ  Ｃｈａｎｇｅコマンド５１２によってまたはターゲット無線インタフェースでダウンリンク・トラフィックを受信することによってまたは自発的ルータ広告５１０＊を受信することによってのいずれかで、Ｌ３アップリンク・トラフィック用の無線インタフェースを切り替える。Ｌ３処理エンティティ／インタフェース４１３からＭｘＭＭ／ＴＥエンティティ４０に送信される、対応するＩｎｔｅｒｆａｃｅ  Ｐｒｅｆｅｒｅｎｃｅ  Ｃｈａｎｇｅイベント５１３が、逆方向で受信される時に、Ｌｉｎｋ  Ｄｅｔａｃｈコマンド５１４が、ＭｘＭＭ／ＴＥエンティティ４０からＬ２（Ｓ）インタフェース４１に送信される。コマンド５１４によってトリガされて、ソース無線リンク４１（＝Ｌ２（Ｓ））のＬｉｎｋ  Ｄｅｔａｃｈ手順５１５を実行することができ、あるいは、単純にＬ２（Ｓ）が非アクティブ化される。Ｌｉｎｋ  Ｄｅｔａｃｈ手順５１５またはＬ２（Ｓ）の非アクティブ化は、ＵＥ  ４とソースＲＡＮ  １との間の接続をクローズする。
【００７４】
Ｌｉｎｋ  Ｄｅｔａｃｈ手順５１５が終了した後に、Ｌｉｎｋ  Ｄｅｔａｃｈイベント・メッセージ５１６、５１７”が、ＵＥ  ４のＬ２（Ｓ）インタフェース４１からＵＥ  ４のＭｘＭＭ／ＴＥエンティティ４０に、およびソースＲＡＮ  １のＬ２インタフェース１１２からソースＲＡＮ  １のＲＡＮ制御エンティティ１００に送信される。
【００７５】
ホーム・エージェント５でのダウンリンクの切替（ソースＲＡＮ  １−ＵＥ  ４からターゲットＲＡＮ  ２−ＵＥ  ４への切替）は、ＵＥ  ４でのアップリンクの切替（ＵＥ  ４−ソースＲＡＮ  １からＵＥ  ４−ターゲットＲＡＮ  ２への切替）より以前に実行される。
【００７６】
ホーム・エージェント５でのダウンリンクの切替の後に、「古い」アップリンクおよび「新しい」アップリンクが、事前に決定されるタイム・インターバルの間にホーム・エージェント５で同時に動作しなければならない。というのは、ダウンリンクの切替の後に、ＵＥが、さらに、ソース無線アクセス・ネットワークを介してアップリンク・パケットを送信するからである。タイマの満了の後にのみ、「新しい」アップリンクが、ホーム・エージェント５によってさらに使用される。
【００７７】
ＵＥ  ４でのアップリンクの切替の後に、「古い」ダウンリンクおよび「新しい」ダウンリンクは、事前に決定されるタイム・インターバルの間に同時に動作する。「古い」ダウンリンクは、ソースＲＡＮ  １を介するＵＥ  ４へのダウンリンクを意味し、「新しい」ダウンリンクは、ターゲットＲＡＮ  １を介する  ＵＥ  ４へのダウンリンクを意味する。この２つのダウンリンク接続の同時動作は、メイク・ビフォア・ブレーク原理に従う。
【００７８】
好ましい実施形態では、「古い」ダウンリンクおよび「新しい」ダウンリンクは、１秒未満の間、特に好ましい実施形態では１００ｍｓ未満の間、同時に動作する。このタイム・インターバルは、「古い」ダウンリンクでまだ送信されているＩＰパケットに、「古い」ダウンリンクがクローズされる前にＵＥ  ４に到達するのに十分な時間を与えるために必須である。楽観的モードなしの重複アドレス検出（＝ＤＡＤ）が、「新しい」リンク上で要求される場合には、両方のリンクを、ＤＡＤ手順のタイマが満了するまで同時に動作させなければならない。事前に決定されるタイム・インターバルが満了した後に、「古い」ダウンリンクは、クローズ／解放され、「新しい」ダウンリンクだけが、動作状態に保たれる。
【００７９】
その一方で、２つのダウンリンクの同時動作のタイム・インターバルは、長すぎないように、好ましくは１秒より長くならないように選択されなければならない。というのは、２つの並列インタフェースの同時維持が、一方では大量の電気エネルギを消費し、これがＵＥ  ４のバッテリの最終的な消耗につながる可能性があるからである。その一方で、無線リソース（たとえば、ＵＭＴＳ内の専用チャネル）の二重使用は、最小化されなければならない。したがって、アップリンク切替およびダウンリンク切替のタイミングは、適当に調整されなければならない。
【００８０】
ソースＲＡＮ  １およびターゲットＲＡＮ  ２を介するダウンリンクでのＩＰパケットのランタイムは、異なるものとすることができる。このランタイムの相違は、同一のＩＰアドレスを用いる２つのインタフェースＬ２（Ｓ）４１およびＬ２（Ｔ）４２の同時動作の時間期間を判定する時に考慮することができる。
【図１】
2010537528.tif 000003
【図２】
2010537528.tif 000004
【図３】
2010537528.tif 000005
【図４】
2010537528.tif 000006
【国際調査報告】
2010537528.tif 000007
2010537528.tif 000008